(57)【要約】  回転子（２）は、少なくとも１つの第１永久磁石（２１）と、少なくとも１つの第２永久磁石（２２）とを有する。少なくとも１つの第１永久磁石（２１）は、回転子（２）の外周面の一部を形成しており、極異方性を持つように磁化されている。少なくとも１つの第２永久磁石（２２）は、回転子（２）の周方向において少なくとも１つの第１永久磁石（２１）に隣接しており、少なくとも１つの第１永久磁石（２１）の磁力よりも低い磁力を持つ。
2020129123.tif 000002
【特許請求の範囲】
【請求項１】
２ｎ（ｎは自然数）個の磁極を持つ回転子であって、
前記回転子の外周面の一部を形成しており、極異方性を持つように磁化された少なくとも１つの第１永久磁石と、
前記少なくとも１つの第１永久磁石とは種類が異なっており、前記回転子の周方向において前記少なくとも１つの第１永久磁石に隣接しており、前記少なくとも１つの第１永久磁石の磁力よりも低い磁力を持ち、極異方性を持つように磁化された少なくとも１つの第２永久磁石と
を備えた
回転子。
【請求項２】
前記回転子の軸方向における前記少なくとも１つの第１永久磁石の長さは、前記回転子の前記周方向における前記少なくとも１つの第１永久磁石の中央において最も長い請求項１に記載の回転子。
【請求項３】
前記回転子の軸方向における前記少なくとも１つの第１永久磁石の長さは、前記中央から前記周方向に離れるにつれて短くなる請求項２に記載の回転子。
【請求項４】
前記回転子の軸方向と直交する平面において、前記回転子の回転中心と前記少なくとも１つの第１永久磁石の内周面の両端を通る２直線が成す角度は、前記回転子の前記回転中心と前記少なくとも１つの第１永久磁石の外周面の両端を通る２直線が成す角度よりも大きい請求項１から３のいずれか１項に記載の回転子。
【請求項５】
前記少なくとも１つの第１永久磁石は、２つの第１永久磁石を含み、
前記回転子の軸方向と直交する平面において、前記２つの第１永久磁石の内周面の、前記周方向において互いに隣接する端部を通る２直線が成す角度は、前記２つの第１永久磁石の間の前記第２永久磁石の外周面の両端を通る２直線が成す角度よりも小さい請求項１から４のいずれか１項に記載の回転子。
【請求項６】
前記少なくとも１つの第１永久磁石は、前記回転子の軸方向における前記第２永久磁石の端部を覆うリング状部分を有する請求項１から３のいずれか１項に記載の回転子。
【請求項７】
前記回転子の軸方向における前記少なくとも１つの第１永久磁石の端部を覆う樹脂をさらに有する請求項１から５のいずれか１項に記載の回転子。
【請求項８】
前記回転子の外周面の一部を形成しており、極異方性を持つように磁化された少なくとも１つの第３永久磁石と、
前記少なくとも１つの第３永久磁石とは種類が異なっており、前記周方向において前記少なくとも１つの第３永久磁石に隣接しており、前記少なくとも１つの第３永久磁石の磁力よりも低い磁力を持ち、極異方性を持つように磁化された少なくとも１つの第４永久磁石と
をさらに備え、
前記少なくとも１つの第１永久磁石は、前記回転子の軸方向における前記第２永久磁石の端部を覆う第１リング状部分を有し、
前記少なくとも１つの第３永久磁石は、前記回転子の軸方向における前記第４永久磁石の端部を覆う第２リング状部分を有し、
前記回転子の軸方向において、前記第１リング状部分は、前記第２リング状部分に対向している
請求項１から３のいずれか１項に記載の回転子。
【請求項９】
前記回転子の軸方向と直交する平面において、前記少なくとも１つの第１永久磁石の磁極中心位置は、前記少なくとも１つの第３永久磁石の磁極中心位置と一致している請求項８に記載の回転子。
【請求項１０】
前記回転子の外周面の一部を形成しており、極異方性を持つように磁化された少なくとも１つの第３永久磁石と、
前記少なくとも１つの第３永久磁石とは種類が異なっており、前記周方向において前記少なくとも１つの第３永久磁石に隣接しており、前記少なくとも１つの第３永久磁石の磁力よりも低い磁力を持ち、極異方性を持つように磁化された少なくとも１つの第４永久磁石と
をさらに備え、
前記回転子の軸方向と直交する平面において、前記少なくとも１つの第１永久磁石の磁極中心位置は、前記少なくとも１つの第３永久磁石の磁極中心位置と一致している請求項１から３のいずれか１項に記載の回転子。
【請求項１１】
前記少なくとも１つの第１永久磁石の軸方向における両端は、前記回転子の軸方向と直交する平面において角度ｗ１［度］重なっており、
前記角度ｗ１は、０＜ｗ１＜０．２×２ｎ／３６０を満たす
請求項１から３のいずれか１項に記載の回転子。
【請求項１２】
前記回転子の軸方向と直交する平面において、前記少なくとも１つの第１永久磁石の軸方向における両端は、前記回転子の極間部において角度ｗ２［度］重なっており、
前記角度ｗ２は、０＜ｗ２＜０．２×２ｎ／３６０を満たす
請求項１又は２に記載の回転子。
【請求項１３】
前記周方向における前記第１永久磁石の幅は、前記回転子の軸方向における真ん中で最も大きい請求項１から３のいずれか１項に記載の回転子。
【請求項１４】
２ｎ個（ｎは自然数）の磁極を持ち、軸方向に積層された２層からｍ層（ｍは自然数且つｎの約数）までの複数の層磁石を備えた回転子であって、
前記複数の層磁石の各層磁石は、
前記回転子の外周面の一部を形成しており、極異方性を持つように磁化された少なくとも１つの第１永久磁石と、
前記少なくとも１つの第１永久磁石とは種類が異なっており、前記回転子の周方向において前記少なくとも１つの第１永久磁石に隣接しており、前記少なくとも１つの第１永久磁石の磁力よりも低い磁力を持ち、極異方性を持つように磁化された少なくとも１つの第２永久磁石と
を有し、
前記複数の層磁石の各第１永久磁石において、１周期を、前記回転子の軸方向と直交する平面におけるＮ極と隣り合うＮ極との間の角度としたとき、前記軸方向において互いに隣接する２つの前記第１永久磁石のＮ極の位置は、周方向において互いにｎ／ｍ周期ずれている
回転子。
【請求項１５】
前記少なくとも１つの第１永久磁石は、希土類磁石である請求項１から１４のいずれか１項に記載の回転子。
【請求項１６】
前記第２永久磁石は、フェライト磁石である請求項１から１５のいずれか１項に記載の回転子。
【請求項１７】
固定子と、
前記固定子の内側に回転可能に配置された、請求項１から１６のいずれか１項に記載の回転子と
を備えた電動機。
【請求項１８】
請求項１７に記載の電動機と、
前記電動機によって駆動される羽根と
を備えた送風機。
【請求項１９】
室内機と、
前記室内機に接続された室外機と
を備え、
前記室内機及び前記室外機の少なくとも１つは請求項１７に記載の電動機を有する
空気調和機。
【請求項２０】
第１永久磁石と、周方向において前記第１永久磁石に隣接しており、前記第１永久磁石の磁力よりも低い磁力を持つ第２永久磁石とを有する回転子の製造方法であって、
着磁用の磁石を用いて前記第２永久磁石用の金型の内部に極異方性の磁場を発生させる工程と、
極異方性を持つように磁化された前記第２永久磁石を射出成形で成形する工程と、
着磁用の磁石を用いて前記第１永久磁石用の金型の内部に極異方性の磁場を発生させる工程と、
前記第１永久磁石用の金型の内部に前記第２永久磁石を配置した状態で、前記第２永久磁石の外周面に、前記回転子の外周面の一部を形成するように前記第１永久磁石を、射出成形で成形する工程と
を備える
回転子の製造方法。
【発明の詳細な説明】
【技術分野】
【０００１】
本発明は、電動機に用いられる回転子に関する。
【背景技術】
【０００２】
一般に、電動機に用いられる回転子として、２種類の磁石を持つ回転子が用いられている（例えば、特許文献１参照）。特許文献１では、高い磁力を持つ永久磁石（第１永久磁石ともいう）が、回転子の外周面の全てを形成しており、第１永久磁石の内側に、第１永久磁石よりも低い磁力を持つ永久磁石（第２永久磁石ともいう）が配置されている。この回転子では、第１永久磁石が回転子の外周面の全てを形成しているので、回転子の磁力を効果的に高めることができる。
【先行技術文献】
【特許文献】
【０００３】
【特許文献１】特開２００５−１５１７５７号公報
【発明の概要】
【発明が解決しようとする課題】
【０００４】
しかしながら、高い磁力を持つ第１永久磁石が回転子の外周面の全てを形成している場合、回転子の十分な磁力を得ることができるが、通常、高い磁力を持つ磁石は高価であるので、回転子のコストが増加するという問題がある。【０００５】
本発明の目的は、高い磁力を持つ第１永久磁石の量を削減した場合でも、回転子の十分な磁力を得ることである。
【課題を解決するための手段】
【０００６】
本発明の一態様に係る回転子は、２ｎ（ｎは自然数）個の磁極を持つ回転子であって、前記回転子の外周面の一部を形成しており、極異方性を持つように磁化された少なくとも１つの第１永久磁石と、前記少なくとも１つの第１永久磁石とは種類が異なっており、前記回転子の周方向において前記少なくとも１つの第１永久磁石に隣接しており、前記少なくとも１つの第１永久磁石の磁力よりも低い磁力を持ち、極異方性を持つように磁化された少なくとも１つの第２永久磁石とを有する。
本発明の他の態様に係る回転子は、２ｎ個（ｎは自然数）の磁極を持ち、軸方向に積層された２層からｍ層（ｍは自然数且つｎの約数）までの複数の層磁石を備えた回転子であって、前記複数の層磁石の各層磁石は、前記回転子の外周面の一部を形成しており、極異方性を持つように磁化された少なくとも１つの第１永久磁石と、前記少なくとも１つの第１永久磁石とは種類が異なっており、前記回転子の周方向において前記少なくとも１つの第１永久磁石に隣接しており、前記少なくとも１つの第１永久磁石の磁力よりも低い磁力を持ち、極異方性を持つように磁化された少なくとも１つの第２永久磁石とを有し、前記複数の層磁石の各第１永久磁石において、１周期を、前記回転子の軸方向と直交する平面におけるＮ極と隣り合うＮ極との間の角度としたとき、前記軸方向において互いに隣接する２つの前記第１永久磁石のＮ極の位置は、周方向において互いにｎ／ｍ周期ずれている。
【発明の効果】
【０００７】
本発明によれば、高い磁力を持つ第１永久磁石の量を削減した場合でも、回転子の十分な磁力を得ることができる。
【図面の簡単な説明】
【０００８】
【図１】本発明の実施の形態１に係る回転子の構造を概略的に示す側面図である。
【図２】回転子の構造を概略的に示す平面図である。
【図３】回転子の構造を概略的に示す断面図である。
【図４】回転子の構造を概略的に示す断面図である。
【図５】回転子の軸方向における第１永久磁石の長さを示す図である。
【図６】回転子の製造工程の一例を示すフローチャートである。
【図７】第２永久磁石の成形工程の一例を示す図である。
【図８】第２永久磁石の成形工程の一例を示す図である。
【図９】比較例に係る回転子の構造を概略的に示す断面図である。
【図１０】図２に示される回転子の断面付近に対応する、回転子の外周面上の磁束密度分布を示す図である。
【図１１】図３に示される回転子の断面付近に対応する、回転子の外周面上の磁束密度分布を示す図である。
【図１２】図４に示される回転子の断面付近に対応する、回転子の外周面上の磁束密度分布を示す図である。
【図１３】回転子全体の外周面上の磁束密度分布を示す図である。
【図１４】実施の形態１に係る回転子の外周面上の磁束密度分布を検出する位置を示す。
【図１５】比較例に係る回転子の外周面上の磁束密度分布を検出する位置を示す図である。
【図１６】変形例１に係る回転子の構造を概略的に示す側面図である。
【図１７】変形例１に係る回転子の構造を概略的に示す平面図である。
【図１８】変形例１に係る回転子の構造を概略的に示す断面図である。
【図１９】変形例１に係る回転子の構造を概略的に示す断面図である。
【図２０】変形例１に係る回転子の製造工程の一例を示す図である。
【図２１】変形例１に係る回転子の製造工程の一例を示す図である。
【図２２】変形例２に係る回転子の構造を概略的に示す断面図である。
【図２３】変形例３に係る回転子の構造を概略的に示す平面図である。
【図２４】変形例３に係る回転子の構造を概略的に示す側面図である。
【図２５】変形例３に係る回転子の構造を概略的に示す断面図である。
【図２６】変形例４に係る回転子の構造を概略的に示す平面図である。
【図２７】変形例４に係る回転子の構造を概略的に示す側面図である。
【図２８】変形例４に係る回転子の構造を概略的に示す断面図である。
【図２９】変形例５に係る回転子の構造を概略的に示す平面図である。
【図３０】変形例５に係る回転子の構造を概略的に示す側面図である。
【図３１】変形例６に係る回転子の構造を概略的に示す断面図である。
【図３２】変形例６に係る回転子の構造を概略的に示す側面図である。
【図３３】変形例７に係る回転子の構造を概略的に示す断面図である。
【図３４】変形例７に係る回転子の構造を概略的に示す側面図である。
【図３５】変形例８に係る回転子の構造を概略的に示す平面図である。
【図３６】変形例８に係る回転子の構造を概略的に示す側面図である。
【図３７】変形例９に係る回転子の構造を概略的に示す平面図である。
【図３８】変形例９に係る回転子の構造を概略的に示す側面図である。
【図３９】変形例１０に係る回転子の構造を概略的に示す平面図である。
【図４０】変形例１０に係る回転子の構造を概略的に示す側面図である。
【図４１】本発明の実施の形態２に係る電動機の構造を概略的に示す部分断面図である。
【図４２】本発明の実施の形態３に係るファンの構造を概略的に示す図である。
【図４３】本発明の実施の形態４に係る空気調和機の構成を概略的に示す図である。
【発明を実施するための形態】
【０００９】
実施の形態１．
各図に示されるｘｙｚ直交座標系において、ｚ軸方向（ｚ軸）は、回転子２の軸線Ａｘと平行な方向を示し、ｘ軸方向（ｘ軸）は、ｚ軸方向（ｚ軸）に直交する方向を示し、ｙ軸方向（ｙ軸）は、ｚ軸方向及びｘ軸方向の両方に直交する方向を示す。軸線Ａｘは、回転子２の回転中心である。軸線Ａｘは、後述する電動機１の軸線も示す。軸線Ａｘと平行な方向は、「回転子２の軸方向」又は単に「軸方向」ともいう。「径方向」は、回転子２又は固定子３の半径方向であり、軸線Ａｘと直交する方向である。ｘｙ平面は、軸方向と直交する平面である。矢印Ｄ１は、軸線Ａｘを中心とする周方向を示す。
【００１０】
いくつかの図に示される「Ｎ」及び「Ｓ」は、それぞれ回転子２（変形例を含む）におけるＮ極及びＳ極を示す。
【００１１】
図１は、本発明の実施の形態１に係る回転子２の構造を概略的に示す側面図である。図１において、破線は回転子２の磁極（Ｎ極又はＳ極）の位置を示す。
図２は、回転子２の構造を概略的に示す平面図である。
図３及び図４は、回転子２の構造を概略的に示す断面図である。
図２は、図１における線Ｃ２−Ｃ２に沿った平面図であり、図３は、図１における線Ｃ３−Ｃ３に沿った断面図であり、図４は、図１における線Ｃ４−Ｃ４に沿った断面図である。
図２から図４において、回転子２上の矢印は、主な磁束の向きを示す。
【００１２】
回転子２は、電動機（例えば、後述する電動機１）に用いられる。
【００１３】
回転子２は、少なくとも１つの第１永久磁石２１と、第１永久磁石２１とは種類が異なる少なくとも１つの第２永久磁石２２とを有する。
【００１４】
「少なくとも１つの第１永久磁石２１」は、２以上の第１永久磁石２１を含み、「少なくとも１つの第２永久磁石２２」は、２以上の第２永久磁石２２を含む。
【００１５】
回転子２は、２ｎ（ｎは自然数）個の磁極を持つ。本実施の形態では、ｎは４であり、回転子２は、８個の磁極を持つ。本実施の形態では、回転子２は、８個の第１永久磁石２１と、１つの第２永久磁石２２とを有する。例えば、図１に示されるように、回転子２の外周面上に、第１永久磁石２１のＮ極及び第１永久磁石２１のＳ極が交互に配列されている。ただし、複数の第１永久磁石２１は、例えば、リング状の連結部で互いに連結されていてもよく、第２永久磁石２２は、複数の部分に分割されていてもよい。
【００１６】
各第１永久磁石２１は、回転子２の外周面の一部を形成している。各第１永久磁石２１は、極異方性を持つように磁化されている。言い換えると、各第１永久磁石２１は、回転子２が極異方性を持つように磁化されている。各第１永久磁石２１は、希土類磁石である。例えば、各第１永久磁石２１は、希土類磁石と樹脂とを混ぜて作られたボンド磁石、すなわち、希土類ボンド磁石である。各第１永久磁石２１は、第２永久磁石２２よりも高い磁力を持つ。
【００１７】
希土類磁石は、例えば、Ｎｄ（ネオジム）−Ｆｅ（鉄）−Ｂ（ホウ素）を含む磁石又はＳｍ（サマリウム）−Ｆｅ（鉄）−Ｎ（窒素）を含む磁石である。樹脂は、例えば、ナイロン樹脂、ＰＰＳ（ポリフェニレンサルファイド）樹脂、又はエポキシ樹脂である。
【００１８】
第２永久磁石２２は、回転子２の周方向において第１永久磁石２１に隣接しており、回転子２の外周面の一部を形成している。具体的には、第２永久磁石２２の一部は、回転子２の周方向において第１永久磁石２１に隣接しており、他の一部は、回転子２の径方向において第１永久磁石２１の内側に位置している。したがって、第２永久磁石２２は、リング状の磁石である。
【００１９】
図１及び図２に示される例では、回転子２の外周面において、複数の第１永久磁石２１と、第２永久磁石２２のうちの複数の部分が、回転子２の周方向に交互に配列されている。
【００２０】
第２永久磁石２２は、極異方性を持つように磁化されている。言い換えると、第２永久磁石２２は、回転子２が極異方性を持つように磁化されている。本実施の形態では、第２永久磁石２２は、一体化された１つの磁石である。第２永久磁石２２は、各第１永久磁石２１と共に回転子２における磁極を構成する。
【００２１】
第２永久磁石２２は、第１永久磁石２１とは種類が異なる磁石である。第２永久磁石２２は、フェライト磁石である。例えば、第２永久磁石２２は、フェライト磁石と樹脂とを混ぜて作られたボンド磁石、すなわち、フェライトボンド磁石である。樹脂は、例えば、ナイロン樹脂、ＰＰＳ（ポリフェニレンサルファイド）樹脂、又はエポキシ樹脂である。
第２永久磁石２２は、各第１永久磁石の磁力よりも低い磁力を持つ。
【００２２】
ｘｙ平面において、各第１永久磁石２１の内周面及び外周面は、同心円状に形成されている。すなわち、ｘｙ平面における各第１永久磁石２１の厚みは、周方向において一定である。
【００２３】
図５は、回転子２の軸方向における第１永久磁石２１の長さを示す図である。
回転子２の軸方向における第１永久磁石２１の長さは、回転子２の周方向における第１永久磁石２１の中央Ｐ１において最も長い。回転子２の周方向における第１永久磁石２１の中央Ｐ１は、ｘｙ平面における回転子２の磁極中心上に位置する。すなわち、図５に示されるように、中央Ｐ１における長さＬ１が、各第１永久磁石２１において最も長い。
【００２４】
図５に示されるように、回転子２の軸方向における第１永久磁石２１の長さは、中央Ｐ１から周方向に離れるにつれて短くなる。例えば、図１に示されるように、中央Ｐ１から周方向に離れた位置Ｐ２における長さＬ２は長さＬ１よりも短い。言い換えると、軸方向における各第１永久磁石２１の長さは、磁極中心部（すなわち、中央Ｐ１）から極間部に向かうにつれて短くなる。極間部は、周方向において隣接する２つの磁極（すなわち、Ｎ極及びＳ極）の中心に位置する。
【００２５】
回転子２の製造方法の一例を説明する。
図６は、回転子２の製造工程の一例を示すフローチャートである。
図７及び図８は、第２永久磁石２２の成形工程の一例を示す図である。
【００２６】
第１の工程Ｓ１では、着磁用の磁石を用いて第２永久磁石２２用の金型Ｍ１１の内部に極異方性の磁場を発生させる。
【００２７】
第２の工程Ｓ２では、第２永久磁石２２を成形する。具体的には、金型Ｍ１１において、射出成形で第２永久磁石２２を成形する（図７）。これにより、極異方性を持つように磁化された第２永久磁石２２が成形される。さらに、図８に示されるように、金型Ｍ１１を引き抜くことにより、極異方性を持つように磁化された第２永久磁石２２が得られる。
【００２８】
第１永久磁石２１の形状に対応する型が金型Ｍ１１に形成されているので、第２永久磁石２２が得られると同時に、第２永久磁石２２の外周面に第１永久磁石２１の形状が成形される。
【００２９】
第３の工程Ｓ３では、着磁用の磁石を用いて第１永久磁石２１用の金型の内部に極異方性の磁場を発生させる。
【００３０】
第４の工程Ｓ４では、１以上の第１永久磁石２１を成形する。具体的には、第１永久磁石２１用の金型の内部に第２永久磁石２２を配置した状態で、第２永久磁石２２の外周面に、回転子２の外周面の一部を形成するように１以上の第１永久磁石２１を、射出成形で成形する。これにより、極異方性を持つように磁化された１以上の第１永久磁石２１が成形され、回転子２が得られる。
【００３１】
実施の形態１に係る回転子２の効果を説明する。
図９は、比較例に係る回転子２００の構造を概略的に示す断面図である。図９に示される比較例に係る回転子２００では、円筒形状のフェライトボンド磁石２０２の外周面に、フェライトボンド磁石２０２よりも高い磁力を持つリング形状の希土類ボンド磁石２０１が配置されている。このリング形状の希土類ボンド磁石２０１は、回転子２００の周方向に延在しており、ｘｙ平面における厚みが、回転子２００の軸方向において一定である。すなわち、リング形状の希土類ボンド磁石２０１が、回転子２００の外周面の全てを形成している。
【００３２】
これに対し、実施の形態１に係る回転子２は複数の第１永久磁石２１を有する。各第１永久磁石２１は回転子２の外周面の一部を形成しており、回転子２の外周面の全てを形成していない。これにより、比較例に係る回転子２００に比べて、高い磁力を持つ第１永久磁石２１の量を削減することができる。第１永久磁石２１が高価な希土類ボンド磁石である場合、比較例に係る回転子２００に比べて希土類ボンド磁石の量を削減することができるので、回転子２のコストを低減することができる。
【００３３】
図１０は、図２に示される回転子２の断面付近に対応する、回転子２の外周面上の磁束密度分布を示す図である。具体的には、図１０は、図１４及び図１５に示される位置Ｅ１における磁束密度分布を示す図である。
図１１は、図３に示される回転子２の断面付近に対応する、回転子２の外周面上の磁束密度分布を示す図である。具体的には、図１１は、図１４及び図１５に示される位置Ｅ２における磁束密度分布を示す図である。
図１２は、図４に示される回転子２の断面付近に対応する、回転子２の外周面上の磁束密度分布を示す図である。具体的には、図１２は、図１４及び図１５に示される位置Ｅ３における磁束密度分布を示す図である。
図１３は、回転子２全体の外周面上の磁束密度分布を示す図である。
図１０から図１３において、横軸は、回転子２の周方向における相対位置［度］を示し、縦軸は、磁束密度を示す。図１０から図１３において、実線は、実施の形態１に係る回転子２の磁束密度分布を示し、破線は、比較例に係る回転子２００の磁束密度分布を示す。
【００３４】
図１４は、実施の形態１に係る回転子２の外周面上の磁束密度分布を検出する位置を示す図である。図１４において、破線は回転子２の磁極中心部（Ｎ極又はＳ極）の位置を示し、「Ｎ」はＮ極を示し、「Ｓ」はＳ極を示す。
図１５は、比較例に係る回転子２００の外周面上の磁束密度分布を検出する位置を示す図である。図１５において、破線は回転子２００の磁極中心部（Ｎ極又はＳ極）の位置を示し、「Ｎ」はＮ極を示し、「Ｓ」はＳ極を示す。
【００３５】
図１０から図１２に示されるように、比較例に係る回転子２００では、周方向において均一な正弦波が形成されている。これに対して、実施の形態１に係る回転子２の各断面付近では、不均一な正弦波が形成されている。しかしながら、回転子２全体として得られる磁束密度分布は、図１３に示されるように比較的均一な正弦波を形成する。すなわち、実施の形態１に係る回転子２全体において、周方向において磁束密度の急激な変化が抑えられている。これにより、比較例に係る回転子２００と同等の誘起電圧を得ることができる。
【００３６】
以上に説明したように、実施の形態１に係る回転子２によれば、比較例に係る回転子２００に比べて、高い磁力を持つ第１永久磁石２１の量を削減することができる。具体的に、実施の形態１に係る回転子２では、各第１永久磁石２１が回転子２の外周面の一部を形成するので、比較例に係る回転子２００に比べて、第１永久磁石２１の量を約２０％削減することが可能である。通常、希土類磁石の材料単価は、フェライト磁石の１０倍以上である。したがって、第１永久磁石２１として希土類磁石を含む磁石（例えば、希土類ボンド磁石）を用い、第２永久磁石２２としてフェライト磁石を含む磁石（例えば、フェライトボンド磁石）を用いた場合、第２永久磁石２２の量が多くなっても、第１永久磁石２１のコストを大幅に低減することができる。その結果、回転子２のコストを大幅に低減することができる。
【００３７】
さらに、上述のように、実施の形態１に係る回転子２では、高い磁力を持つ第１永久磁石２１の量を削減しても、回転子２の十分な磁力を得ることができる。その結果、比較例に係る回転子２と同等の誘起電圧を得ることができるので、比較例に係る回転子２と同等の回転制御の精度を得ることができる。
【００３８】
さらに、回転子２の製造方法によれば、上述の効果を持つ回転子２を製造することができる。
【００３９】
変形例１．
図１６は、変形例１に係る回転子２ａの構造を概略的に示す側面図である。
図１７は、変形例１に係る回転子２ａの構造を概略的に示す平面図である。
図１８及び図１９は、変形例１に係る回転子２ａの構造を概略的に示す断面図である。
図１７は、図１６における線Ｃ１７−Ｃ１７に沿った平面図であり、図１８は、図１６における線Ｃ１８−Ｃ１８に沿った断面図であり、図１９は、図１６における線Ｃ１９−Ｃ１９に沿った断面図である。
【００４０】
変形例１に係る回転子２ａでは、回転子２ａの周方向における各第１永久磁石２１の幅が、回転子２ａ軸方向において異なっている。具体的には、各第１永久磁石２１において、回転子２ａ周方向における第１永久磁石２１の幅は、回転子２ａ軸方向における真ん中で最も大きい。この最も大きい幅は、図１６においてｄ２で示されている。各第１永久磁石２１において、周方向における幅は、軸方向における端部で最も小さい。この最も小さい幅は、図１６においてｄ３で示されている。すなわち、各第１永久磁石２１において、幅ｄ２及び幅ｄ３の関係は、ｄ２＞ｄ３を満たす。
【００４１】
この場合、周方向における第２永久磁石２２の外周面の幅が、軸方向において異なっている。具体的には、周方向における第２永久磁石２２の外周面の幅は、軸方向における端部で最も大きい。この最も大きい幅は、図１６においてｄ４で示されている。周方向における第２永久磁石２２の外周面の幅は、軸方向における真ん中で最も小さい。この最も小さい幅は、図１６においてｄ５で示されている。すなわち、第２永久磁石２２において、幅ｄ４及び幅ｄ５の関係は、ｄ４＞ｄ５を満たす。
【００４２】
変形例１に係る回転子２ａの製造方法について説明する。
図２０及び図２１は、変形例１に係る回転子２ａの製造工程の一例を示す図である。具体的には、図２０及び図２１は、第２永久磁石２２の成形工程を示す図である。
【００４３】
第２永久磁石２２の成形工程では、２分割された金型、すなわち、金型Ｍ２１及び金型Ｍ２２を用いて第２永久磁石２２を成形する。
【００４４】
第１の工程では、着磁用の磁石を用いて第２永久磁石２２用の金型Ｍ２１及び金型Ｍ２２の内部に極異方性の磁場を発生させる。
【００４５】
第２の工程では、第２永久磁石２２を成形する。具体的には、金型Ｍ２１及び金型Ｍ２２において、射出成形で第２永久磁石２２を成形する（図２０）。これにより、極異方性を持つように磁化された第２永久磁石２２が成形される。さらに、図２１に示されるように、金型Ｍ２１及び金型Ｍ２２を互いに逆向きに引き抜くことにより、極異方性を持つように磁化された第２永久磁石２２が得られる。
【００４６】
第１永久磁石２１の形状に対応する型が金型Ｍ２１及び金型Ｍ２２に形成されているので、第２永久磁石２２が得られると同時に、第２永久磁石２２の外周面に第１永久磁石２１の形状が成形される。
【００４７】
第３の工程では、着磁用の磁石を用いて第１永久磁石２１用の金型の内部に極異方性の磁場を発生させる。
【００４８】
第４の工程では、１以上の第１永久磁石２１を成形する。具体的には、第１永久磁石２１用の金型の内部に第２永久磁石２２を配置した状態で、第２永久磁石２２の外周面に、回転子２ａの外周面の一部を形成するように１以上の第１永久磁石２１を、射出成形で成形する。これにより、極異方性を持つように磁化された１以上の第１永久磁石２１が成形され、回転子２が得られる。
【００４９】
回転子２ａのその他の構造は、実施の形態１に係る回転子２と同じである。変形例１に係る回転子２ａは、上述の実施の形態１に係る回転子２の効果と同じ効果を有する。
【００５０】
さらに、変形例１に係る回転子２ａによれば、回転子２ａ全体として得られる磁束密度分布を、より均一な正弦波にすることができる。これより、誘起電圧における高調波成分の割合を減らすことができ、誘起電圧の歪みが小さくなる。その結果、電動機の駆動中において、電動機のトルクの脈動が小さくなり、電動機における振動及び騒音を低減することができる。
【００５１】
変形例１に係る回転子２ａの製造方法によれば、上述の効果を持つ回転子２ａを製造することができる。さらに、回転子２ａの製造方法によれば、分割された金型Ｍ２１及びＭ２２を用いるので、各第１永久磁石２１の形状の自由度を増すことができる。さらに、回転子２ａの製造方法によれば、分割された金型Ｍ２１及びＭ２２を用いるので、金型Ｍ２１及び金型Ｍ２２を、第２永久磁石２２から容易に引き抜くことができる。
【００５２】
変形例２．
図２２は、変形例２に係る回転子２ｂの構造を概略的に示す断面図である。
ｘｙ平面において、回転子２ｂの回転中心（すなわち、軸線Ａｘ）と第１永久磁石２１の内周面の両端Ｐ１１を通る２直線Ｔ１１が成す角度Ａ１は、回転子２ｂの回転中心と第１永久磁石２１の外周面の両端Ｐ１２を通る２直線Ｔ１２が成す角度Ａ２よりも大きい。第１永久磁石２１の内周面とは、第１永久磁石２１の径方向内側の表面である。第１永久磁石２１の外周面とは、第１永久磁石２１の径方向外側の表面である。
【００５３】
これにより、回転子２ｂの回転時に生じる遠心力によって、第１永久磁石２１が第２永久磁石２２から外れることを防ぐことができる。
【００５４】
ｘｙ平面において、角度Ａ３は角度Ａ４よりも小さい。これにより、回転子２ｂの回転時に生じる遠心力によって、第１永久磁石２１が第２永久磁石２２から外れることを防ぐことができる。角度Ａ３は、ｘｙ平面において、２つの第１永久磁石２１の内周面の、回転子２の周方向において互いに隣接する端部Ｐ１３を通る２直線Ｔ２２が成す角度である。言い換えると、２つの端部Ｐ１３は、回転子２の周方向において対向する。角度Ａ４は、ｘｙ平面において、２つの第１永久磁石２１の間の第２永久磁石２２の外周面の両端Ｐ２１を通る２直線Ｔ２１が成す角度である。第２永久磁石２２の外周面とは、第２永久磁石２２の径方向外側の表面である。
【００５５】
変形例３．
図２３は、変形例３に係る回転子２ｃの構造を概略的に示す平面図である。
図２４は、変形例３に係る回転子２ｃの構造を概略的に示す側面図である。
図２５は、変形例３に係る回転子２ｃの構造を概略的に示す断面図である。具体的には、図２５は、図２３における線Ｃ２５−Ｃ２５に沿った断面図である。
【００５６】
変形例３に係る回転子２ｃでは、第１永久磁石２１は、一体化されている。第１永久磁石２１は、複数の本体２１ａと、少なくとも１つのリング状部分２１ｂとを有する。複数の本体２１ａは、実施の形態１における各第１永久磁石２１（例えば、図１に示される各第１永久磁石２１）に対応する。したがって、各本体２１ａは、回転子２ｃの外周面の一部を形成しており、極異方性を持つように磁化されている。周方向において隣接する２つの本体２１ａの間に第２永久磁石２２の一部が存在している。
【００５７】
リング状部分２１ｂは、複数の本体２１ａと一体化されている。したがって、変形例３では、回転子２ｃは、１つの第１永久磁石２１と、１つの第２永久磁石２２とを有する。図２４に示される例では、リング状部分２１ｂは、軸方向における第１永久磁石２１の両端に形成されている。ただし、リング状部分２１ｂは、軸方向における第１永久磁石２１の一端に形成されていてもよい。各リング状部分２１ｂは、回転子２ｃの軸方向における第２永久磁石２２の端部を覆う。
【００５８】
図２５に示されるように、各リング状部分２１ｂは、少なくとも１つの突起２１ｃ又は少なくとも１つの凹部２１ｄを有してもよい。各リング状部分２１ｂは、少なくとも１つの突起２１ｃ及び少なくとも１つの凹部２１ｄの両方を有してもよい。突起２１ｃは、第２永久磁石２２に向けて突出している。例えば、突起２１ｃは、第２永久磁石２２に形成された凹部と係合する。例えば、凹部２１ｄは、第２永久磁石２２に形成された突起と係合する。
【００５９】
一般に、回転子の温度が変化したとき、磁石が変形する場合がある。この場合、熱収縮率の違いによって２種類の磁石のうちの一方が、回転子から外れることがある。変形例３では、回転子２ｃがリング状部分２１ｂを有するので、回転子２ｃの温度が変化したとき、熱収縮率の違いによって第１永久磁石２１又は第２永久磁石２２が変形した場合でも、第１永久磁石２１（特に、本体２１ａ）が第２永久磁石２２から外れることを防ぐことができる。さらに、回転子２ｃの回転時に生じる遠心力によって、第１永久磁石２１（特に、本体２１ａ）が第２永久磁石２２から外れることを防ぐことができる。
【００６０】
さらに、各リング状部分２１ｂが、第２永久磁石２２と係合する少なくとも１つの突起２１ｃを有するので、第１永久磁石２１を第２永久磁石２２にしっかり固定することができる。これにより、第１永久磁石２１（特に、本体２１ａ）が第２永久磁石２２から外れることを効果的に防ぐことができる。
【００６１】
さらに、各リング状部分２１ｂが、第２永久磁石２２と係合する少なくとも１つの凹部２１ｄを有するので、第１永久磁石２１を第２永久磁石２２にしっかり固定することができる。これにより、第１永久磁石２１（特に、本体２１ａ）が第２永久磁石２２から外れることを効果的に防ぐことができる。
【００６２】
変形例４．
図２６は、変形例４に係る回転子２ｄの構造を概略的に示す平面図である。
図２７は、変形例４に係る回転子２ｄの構造を概略的に示す側面図である。
図２８は、変形例４に係る回転子２ｄの構造を概略的に示す断面図である。具体的には、図２８は、図２６における線Ｃ２８−Ｃ２８に沿った断面図である。
【００６３】
変形例４に係る回転子２ｄは、少なくとも１つの樹脂２５をさらに有する。例えば、樹脂２５は、回転子２ｄにおいてシャフトを固定するためのリブと一体的に成形することができる。
【００６４】
図２７に示される例では、樹脂２５は、回転子２ｄの軸方向における第１永久磁石２１の両端に固定されている。ただし、樹脂２５は、回転子２ｄの軸方向における第１永久磁石２１の一端に形成されていてもよい。図２６に示される例では、各樹脂２５は、ｘｙ平面においてリング状の樹脂である。各樹脂２５は、回転子２ｄの軸方向における第１永久磁石２１の端部を覆う。
【００６５】
図２８に示されるように、各樹脂２５は、少なくとも１つの突起２５ａ又は少なくとも１つの凹部２５ｂを有してもよい。各樹脂２５は、少なくとも１つの突起２５ａ及び少なくとも１つの凹部２５ｂの両方を有してもよい。突起２５ａは、第２永久磁石２２に向けて突出している。例えば、突起２５ａは、第１永久磁石２１又は第２永久磁石２２に形成された凹部と係合する。例えば、凹部２５ｂは、第１永久磁石２１又は第２永久磁石２２に形成された突起と係合する。
【００６６】
一般に、回転子の温度が変化したとき、磁石が変形する場合がある。この場合、熱収縮率の違いによって２種類の磁石のうちの一方が、回転子から外れることがある。変形例４では、回転子２ｄが樹脂２５を有するので、回転子２ｄの温度が変化したとき、熱収縮率の違いによって第１永久磁石２１又は第２永久磁石２２が変形した場合でも、第１永久磁石２１が第２永久磁石２２から外れることを防ぐことができる。さらに、回転子２ｄの回転時に生じる遠心力によって、第１永久磁石２１が第２永久磁石２２から外れることを防ぐことができる。
【００６７】
さらに、各樹脂２５が、第１永久磁石２１又は第２永久磁石２２と係合する少なくとも１つの突起２５ａを有するので、各樹脂２５が各第１永久磁石２１を覆っている状態で、各樹脂２５を第１永久磁石２１又は第２永久磁石２２にしっかり固定することができる。これにより、第１永久磁石２１が第２永久磁石２２から外れることを効果的に防ぐことができる。
【００６８】
さらに、各樹脂２５が、第１永久磁石２１又は第２永久磁石２２と係合する少なくとも１つの凹部２５ｂを有するので、各樹脂２５が各第１永久磁石２１を覆っている状態で、各樹脂２５を第１永久磁石２１又は第２永久磁石２２にしっかり固定することができる。これにより、第１永久磁石２１が第２永久磁石２２から外れることを効果的に防ぐことができる。
【００６９】
さらに、変形例４に係る回転子２ｄは、少なくとも１つの樹脂２５を有するので、変形例３に係る回転子２ｃに比べて第１永久磁石２１の量を削減することができる。
【００７０】
変形例５．
図２９は、変形例５に係る回転子２ｅの構造を概略的に示す平面図である。
図３０は、変形例５に係る回転子２ｅの構造を概略的に示す側面図である。
【００７１】
変形例５に係る回転子２ｅは、少なくとも１つの第１永久磁石２１と、１つの第２永久磁石２２と、少なくとも１つの第３永久磁石２３と、少なくとも１つの第４永久磁石２４とを有する。図２９に示される例では、各第３永久磁石２３の構造は、第１永久磁石２１の構造と同じであり、各第４永久磁石２４の構造は、第２永久磁石２２の構造と同じである。
【００７２】
図３０に示されるように、第３永久磁石２３及び第４永久磁石２４は、回転子２ｅの軸方向において第１永久磁石２１及び第２永久磁石２２に積層されている。
【００７３】
すなわち、各第３永久磁石２３は、回転子２ｅの外周面の一部を形成しており、極異方性を持つように磁化されている。各第３永久磁石２３は、例えば、希土類磁石と樹脂とを混ぜて作られたボンド磁石、すなわち、希土類ボンド磁石である。各第３永久磁石２３は、第４永久磁石２４よりも高い磁力を持つ。希土類磁石は、例えば、Ｎｄ（ネオジム）−Ｆｅ（鉄）−Ｂ（ホウ素）を含む磁石又はＳｍ（サマリウム）−Ｆｅ（鉄）−Ｎ（窒素）を含む磁石である。樹脂は、例えば、ナイロン樹脂、ＰＰＳ（ポリフェニレンサルファイド）樹脂、又はエポキシ樹脂である。
【００７４】
第４永久磁石２４は、回転子２ｅの周方向において第３永久磁石２３に隣接しており、回転子２ｅの外周面の一部を形成している。具体的には、第４永久磁石２４の一部は、回転子２ｅの周方向において第３永久磁石２３に隣接しており、他の一部は、回転子２ｅの径方向において第３永久磁石２３の内側に位置している。したがって、第４永久磁石２４は、リング状の磁石である。
【００７５】
第４永久磁石２４は、極異方性を持つように磁化されている。第４永久磁石２４は、第３永久磁石２３とは種類が異なる磁石である。具体的には、第４永久磁石２４は、例えば、フェライト磁石と樹脂とを混ぜて作られたボンド磁石、すなわち、フェライトボンド磁石である。樹脂は、例えば、ナイロン樹脂、ＰＰＳ（ポリフェニレンサルファイド）樹脂、又はエポキシ樹脂である。第４永久磁石２４は、各第３永久磁石の磁力よりも低い磁力を持つ。
【００７６】
変形例５では、回転子２ｅは２層の磁石を持つ。言い換えると、回転子２ｅは、２層に分割されている。すなわち、回転子２ｅは、第１永久磁石２１及び第２永久磁石２２で構成された第１層の層磁石２０と、第３永久磁石２３及び第４永久磁石２４で構成された第２層の層磁石２０とを持つ。したがって、回転子２ｅは複数の層を持つので、回転子２ｅにおける渦電流損を低減することができる。
【００７７】
ｘｙ平面において、第１永久磁石２１の磁極中心位置（例えば、Ｎ極の位置）は、第３永久磁石２３の磁極中心位置（例えば、Ｎ極の位置）と一致していることが望ましい。これにより、回転子２ｅの各磁極中心位置における磁束密度を高めることができるので、電動機において、回転子２ｅから固定子に流入する磁束が増加し、電動機の出力を高めることができる。第１永久磁石２１の各磁極中心位置及び第３永久磁石２３の各磁極中心位置は、図３０において破線で示されている位置である。
【００７８】
回転子２ｅは２ｎ個（ｎは自然数）の磁極を持つ。さらに、回転子２ｅは、軸方向に積層された２層からｍ層（ｍは自然数且つｎの約数）までの複数の層磁石２０を有する。図３０に示される例では、ｎ＝４、ｍ＝２である。複数の層磁石２０の各第１永久磁石２１において、１周期を、ｘｙ平面におけるＮ極と隣り合うＮ極との間の角度としたとき、軸方向において互いに隣接する２つの第１永久磁石２１のＮ極の位置は、配向時の位置を基準に周方向において互いにｎ／ｍ周期ずれていてもよい。この場合、軸方向において互いに隣接する２つの第１永久磁石２１のＳ極の位置も、周方向において互いにｎ／ｍ周期ずれている。これにより、各層磁石２０が配向のばらつきを持つ場合であっても、回転子２ｅ全体において、周方向において磁束密度のばらつきが抑えられ、誘起電圧の歪みを少なくすることができ、電動機における振動及び騒音を低減することができる。
【００７９】
変形例６．
図３１は、変形例６に係る回転子２ｆの構造を概略的に示す断面図である。具体的には、図３１は、図３２における線Ｃ３１−Ｃ３１に沿った断面図である。
図３２は、変形例６に係る回転子２ｆの構造を概略的に示す側面図である。
【００８０】
変形例６に係る回転子２ｆは、少なくとも１つの第１永久磁石２１と、１つの第２永久磁石２２と、少なくとも１つの第３永久磁石２３と、少なくとも１つの第４永久磁石２４とを有する。図３２に示される例では、各第３永久磁石２３の構造は、第１永久磁石２１の構造と同じであり、各第４永久磁石２４の構造は、第２永久磁石２２の構造と同じである。
【００８１】
第３永久磁石２３は、一体化されていてもよく、複数の部分に分割されていてもよい。第４永久磁石２４は、一体化されていてもよく、複数の部分に分割されていてもよい。
【００８２】
図３２に示されるように、第３永久磁石２３及び第４永久磁石２４は、回転子２ｆの軸方向において第１永久磁石２１及び第２永久磁石２２に積層されている。
【００８３】
すなわち、各第３永久磁石２３は、回転子２ｆの外周面の一部を形成しており、極異方性を持つように磁化されている。各第３永久磁石２３は、例えば、希土類磁石と樹脂とを混ぜて作られたボンド磁石、すなわち、希土類ボンド磁石である。各第３永久磁石２３は、第４永久磁石２４よりも高い磁力を持つ。希土類磁石は、例えば、Ｎｄ（ネオジム）−Ｆｅ（鉄）−Ｂ（ホウ素）を含む磁石又はＳｍ（サマリウム）−Ｆｅ（鉄）−Ｎ（窒素）を含む磁石である。樹脂は、例えば、ナイロン樹脂、ＰＰＳ（ポリフェニレンサルファイド）樹脂、又はエポキシ樹脂である。
【００８４】
第４永久磁石２４は、回転子２ｆの周方向において第３永久磁石２３に隣接しており、回転子２ｆの外周面の一部を形成している。具体的には、第４永久磁石２４の一部は、回転子２ｆの周方向において第３永久磁石２３に隣接しており、他の一部は、回転子２ｆの径方向において第３永久磁石２３の内側に位置している。したがって、第４永久磁石２４は、リング状の磁石である。
【００８５】
第４永久磁石２４は、極異方性を持つように磁化されている。第４永久磁石２４は、第３永久磁石２３とは種類が異なる磁石である。具体的には、第４永久磁石２４は、例えば、フェライト磁石と樹脂とを混ぜて作られたボンド磁石、すなわち、フェライトボンド磁石である。樹脂は、例えば、ナイロン樹脂、ＰＰＳ（ポリフェニレンサルファイド）樹脂、又はエポキシ樹脂である。第４永久磁石２４は、各第３永久磁石の磁力よりも低い磁力を持つ。
【００８６】
変形例６に係る回転子２ｆでは、第１永久磁石２１は、一体化されている。第１永久磁石２１は、複数の本体２１ａと、少なくとも１つのリング状部分２１ｂ（変形例６において第１リング状部分ともいう）とを有する。複数の本体２１ａは、実施の形態１における各第１永久磁石２１（例えば、図１に示される各第１永久磁石２１）に対応する。したがって、各本体２１ａは、回転子２ｆの外周面の一部を形成しており、極異方性を持つように磁化されている。周方向において隣接する２つの本体２１ａの間に第２永久磁石２２の一部が存在している。
【００８７】
リング状部分２１ｂは、複数の本体２１ａと一体化されている。したがって、変形例６では、回転子２ｆは、１つの第１永久磁石２１と、１つの第２永久磁石２２とを有する。図３２に示される例では、リング状部分２１ｂは、軸方向における第１永久磁石２１の端部に形成されている。リング状部分２１ｂは、回転子２ｆの軸方向における第２永久磁石２２の端部を覆う。
【００８８】
変形例６に係る回転子２ｆでは、第３永久磁石２３は、一体化されている。第３永久磁石２３は、複数の本体２３ａと、少なくとも１つのリング状部分２３ｂ（変形例６において第２リング状部分ともいう）とを有する。複数の本体２３ａは、実施の形態１における各第１永久磁石２１（例えば、図１に示される各第１永久磁石２１）に対応する。したがって、各本体２３ａは、回転子２ｆの外周面の一部を形成しており、極異方性を持つように磁化されている。周方向において隣接する２つの本体２３ａの間に第４永久磁石２４の一部が存在している。
【００８９】
リング状部分２３ｂは、複数の本体２３ａと一体化されている。したがって、変形例６では、回転子２ｆは、１つの第３永久磁石２３と、１つの第４永久磁石２４とを有する。図３２に示される例では、リング状部分２３ｂは、軸方向における第３永久磁石２３の端部に形成されている。リング状部分２３ｂは、回転子２ｆの軸方向における第４永久磁石２４の端部を覆う。
【００９０】
回転子２ｆの軸方向において、リング状部分２１ｂは、リング状部分２３ｂに対向している。これにより、回転子２ｆの軸方向における中央部分に、第１永久磁石２１及び第３永久磁石２３の割合を増加させることができる。その結果、電動機において、回転子２ｆから固定子に流入する磁束が増加し、電動機の出力を高めることができる。
【００９１】
電動機内において、回転子２ｆの軸方向における長さは、固定子の軸方向における長さよりも長いことが望ましい。これにより、回転子２ｆからの磁束の漏れを低減することができる。すなわち、電動機において、回転子２ｆから固定子に流入する磁束が増加し、電動機の出力を高めることができる。
【００９２】
変形例６では、回転子２ｆは２層の磁石を持つ。言い換えると、回転子２ｆは、２層に分割されている。すなわち、回転子２ｆは、第１永久磁石２１及び第２永久磁石２２で構成された第１層と、第３永久磁石２３及び第４永久磁石２４で構成された第２層とを持つ。したがって、回転子２ｆは複数の層を持つので、回転子２ｆにおける渦電流損を低減することができる。
【００９３】
ｘｙ平面において、第１永久磁石２１の磁極中心位置（例えば、Ｎ極の位置）は、第３永久磁石２３の磁極中心位置（例えば、Ｎ極の位置）と一致していることが望ましい。これにより、回転子２ｆの各磁極中心位置における磁束密度を高めることができるので、電動機において、回転子２ｆから固定子に流入する磁束が増加し、電動機の出力を高めることができる。第１永久磁石２１の各磁極中心位置及び第３永久磁石２３の各磁極中心位置は、図３２において破線で示されている位置である。
【００９４】
変形例７．
図３３は、変形例７に係る回転子２ｇの構造を概略的に示す断面図である。図３３は、図３４における線Ｃ３３−Ｃ３３に沿った断面図である。
図３４は、変形例７に係る回転子２ｇの構造を概略的に示す側面図である。
【００９５】
変形例７に係る回転子２ｇは、実施の形態１及び上述の各変形例と同様に、２ｎ個（ｎは自然数）の磁極を持つ。さらに、回転子２ｇは、軸方向に積層された２層からｍ層（ｍは自然数且つｎの約数）までの複数の層磁石２０を有する。図３４に示される例では、ｎ＝４、ｍ＝２である。すなわち、図３４に示される例では、回転子２ｇは、２層の層磁石２０を有する。
【００９６】
複数の層磁石２０の各層磁石２０は、少なくとも１つの第１永久磁石２１と、１つの第２永久磁石２２とを有する。
【００９７】
図３４に示されるように、複数の層磁石２０は、回転子２ｇの軸方向において積層されている。上述のように、回転子２ｇは２層の磁石を持つ。言い換えると、回転子２ｇは、２層に分割されている。したがって、回転子２ｇは複数の層を持つので、回転子２ｇにおける渦電流損を低減することができる。
【００９８】
回転子２ｇの軸方向において、各第１永久磁石２１のリング状部分２１ｂは、他の第１永久磁石２１のリング状部分２１ｂに対向している。これにより、回転子２ｇの軸方向における中央部分に、第１永久磁石２１の割合を増加させることができる。その結果、電動機において、回転子２ｇから固定子に流入する磁束が増加し、電動機の出力を高めることができる。
【００９９】
複数の層磁石２０の各第１永久磁石２１において、１周期を、ｘｙ平面におけるＮ極と隣り合うＮ極との間の角度としたとき、軸方向において互いに隣接する２つの第１永久磁石２１のＮ極の位置は、周方向において互いにｎ／ｍ周期ずれている。軸方向において互いに隣接する２つの第１永久磁石２１のＳ極の位置も、周方向において互いにｎ／ｍ周期ずれている。これにより、各層磁石２０が配向のばらつきを持つ場合であっても、回転子２ｇにおいて均一な配向を得ることができる。その結果、例えば、図１３に示される例と同様に、回転子２ｇ全体において、周方向において磁束密度の急激な変化が抑えられ、電動機における振動及び騒音を低減することができる。
【０１００】
変形例８．
図３５は、変形例８に係る回転子２ｈの構造を概略的に示す平面図である。
図３６は、変形例８に係る回転子２ｈの構造を概略的に示す側面図である。
【０１０１】
変形例８に係る回転子２ｈでは、回転子２ｈの第１永久磁石２１の構造が、実施の形態１に係る回転子２の第１永久磁石２１の構造と異なる。具体的には、図３５及び図３６に示されるように、第１永久磁石２１の軸方向における両端は、ｘｙ平面において角度ｗ１［度］重なっている。この場合において、角度ｗ１は、０＜ｗ１＜０．２×２ｎ／３６０を満たす。実施の形態１と同様に、回転子２ｈは、２ｎ（ｎは自然数）個の磁極を持つ。変形例８では、ｎは４である。
【０１０２】
これにより、回転子２ｈの磁極中心部付近の第１永久磁石２１の体積を増加させることができる。言い換えると、回転子２ｈの磁極中心部付近の第１永久磁石２１の割合を増加させることができる。その結果、回転子２ｈの磁力を高めることができ、回転子２ｈを有する電動機の効率を向上させることができる。
【０１０３】
変形例９．
図３７は、変形例９に係る回転子２ｉの構造を概略的に示す平面図である。
図３８は、変形例９に係る回転子２ｉの構造を概略的に示す側面図である。
【０１０４】
変形例９に係る回転子２ｉでは、回転子２ｉの第１永久磁石２１の構造が、実施の形態１に係る回転子２の第１永久磁石２１の構造と異なる。具体的には、図３７及び図３８に示されるように、第１永久磁石２１の軸方向における両端は、ｘｙ平面において角度ｗ１［度］重なっている。この場合において、角度ｗ１は、０＜ｗ１＜０．２×２ｎ／３６０を満たす。実施の形態１と同様に、回転子２ｉは、２ｎ（ｎは自然数）個の磁極を持つ。変形例９では、ｎは４である。
【０１０５】
これにより、回転子２ｉの磁極中心部付近の第１永久磁石２１の体積を増加させることができる。言い換えると、回転子２ｈの磁極中心部付近の第１永久磁石２１の割合を増加させることができる。その結果、回転子２ｉの磁力を高めることができ、回転子２ｉを有する電動機の効率を向上させることができる。
【０１０６】
回転子２ｉは、軸方向に積層された２層からｍ層（ｍは自然数且つｎの約数）までの複数の層磁石２０を有する。図３８に示される例では、ｎ＝４、ｍ＝２である。すなわち、図３８に示される例では、回転子２ｉは、２層の層磁石２０を有する。
【０１０７】
複数の層磁石２０の各層磁石２０は、少なくとも１つの第１永久磁石２１と、１つの第２永久磁石２２とを有する。
【０１０８】
図３８に示されるように、複数の層磁石２０は、回転子２ｉの軸方向において積層されている。上述のように、回転子２ｉは２層の磁石を持つ。言い換えると、回転子２ｉは、２層に分割されている。したがって、回転子２ｉは複数の層を持つので、回転子２ｉにおける渦電流損を低減することができる。
【０１０９】
回転子２ｉの軸方向において、各第１永久磁石２１のリング状部分２１ｂが、他の第１永久磁石２１のリング状部分２１ｂに対向している。これにより、回転子２ｉの軸方向における中央部分に、第１永久磁石２１の割合を増加させることができる。その結果、電動機において、回転子２ｉから固定子に流入する磁束を増加させることができる。
【０１１０】
複数の層磁石２０の各第１永久磁石２１において、１周期を、ｘｙ平面におけるＮ極と隣り合うＮ極との間の角度としたとき、軸方向において互いに隣接する２つの第１永久磁石２１のＮ極の位置は、周方向において互いにｎ／ｍ周期ずれている。軸方向において互いに隣接する２つの第１永久磁石２１のＳ極の位置も、周方向において互いにｎ／ｍ周期ずれている。これにより、各層磁石２０が配向のばらつきを持つ場合であっても、回転子２ｉにおいて均一な配向を得ることができる。その結果、例えば、図１３に示される例と同様に、回転子２ｉ全体において、周方向において磁束密度の急激な変化が抑えられ、電動機における振動及び騒音を低減することができる。
【０１１１】
変形例１０．
図３９は、変形例１０に係る回転子２ｊの構造を概略的に示す平面図である。
図４０は、変形例１０に係る回転子２ｊの構造を概略的に示す側面図である。
【０１１２】
変形例１０に係る回転子２ｊでは、回転子２ｊの第１永久磁石２１の構造が、実施の形態１に係る回転子２の第１永久磁石２１の構造と異なる。具体的には、図３９及び図４０に示されるように、ｘｙ平面において、第１永久磁石２１の軸方向における両端は、回転子２ｊの極間部において角度ｗ２［度］重なっている。この場合において、角度ｗ２は、０＜ｗ２＜０．２×２ｎ／３６０を満たす。実施の形態１と同様に、回転子２ｉは、２ｎ（ｎは自然数）個の磁極を持つ。変形例１０では、ｎは４である。
【０１１３】
これにより、回転子２ｊ全体として得られる磁束密度分布を、より均一な正弦波にすることができる。これより、誘起電圧における高調波成分の割合を減らすことができ、誘起電圧の歪みが小さくなる。その結果、電動機の駆動中において、電動機のトルクの脈動が小さくなり、電動機における振動及び騒音を低減することができる。
【０１１４】
回転子２ｊは、軸方向に積層された２層からｍ層（ｍは自然数且つｎの約数）までの複数の層磁石２０を有する。図４０に示される例では、ｎ＝４、ｍ＝２である。すなわち、図４０に示される例では、回転子２ｊは、２層の層磁石２０を有する。
【０１１５】
複数の層磁石２０の各層磁石２０は、少なくとも１つの第１永久磁石２１と、１つの第２永久磁石２２とを有する。
【０１１６】
図４０に示されるように、複数の層磁石２０は、回転子２ｊの軸方向において積層されている。上述のように、回転子２ｊは２層の磁石を持つ。言い換えると、回転子２ｊは、２層に分割されている。したがって、回転子２ｊは複数の層を持つので、回転子２ｊにおける渦電流損を低減することができる。
【０１１７】
複数の層磁石２０の各第１永久磁石２１において、１周期を、ｘｙ平面におけるＮ極と隣り合うＮ極との間の角度としたとき、軸方向において互いに隣接する２つの第１永久磁石２１のＮ極の位置は、周方向において互いにｎ／ｍ周期ずれている。軸方向において互いに隣接する２つの第１永久磁石２１のＳ極の位置も、周方向において互いにｎ／ｍ周期ずれている。これにより、各層磁石２０が配向のばらつきを持つ場合であっても、回転子２ｊにおいて均一な配向を得ることができる。その結果、例えば、図１３に示される例と同様に、回転子２ｊ全体において、周方向において磁束密度の急激な変化が抑えられ、電動機における振動及び騒音を低減することができる。
【０１１８】
上述の変形例に係る回転子２ａから２ｊは、実施の形態１に係る回転子２の効果も有する。
【０１１９】
実施の形態２．
図４１は、本発明の実施の形態２に係る電動機１の構造を概略的に示す部分断面図である。
電動機１は、実施の形態１に係る回転子２と、固定子３とを有する。回転子２の代わりに、実施の形態１の各変形例に係る回転子２ａから２ｊを、電動機１に適用可能である。
【０１２０】
電動機１は、回転子２と、固定子３と、回路基板４と、回転子２の回転位置を検出する磁気センサ５と、ブラケット６と、ベアリング７ａ及び７ｂと、回転子２の回転位置検出用マグネットとしてのセンサマグネット８と、回転子２に固定されたシャフト３７とを有する。電動機１は、例えば、永久磁石同期電動機である。
【０１２１】
回転子２は、固定子３の内側に回転可能に配置されている。回転子２と固定子３との間には、エアギャップが形成されている。回転子２は、軸線Ａｘを中心として回転する。
【０１２２】
実施の形態２に係る電動機１は、実施の形態１に係る回転子２（各変形例を含む）を有するので、実施の形態１で説明した回転子２の効果（各変形例の効果を含む）と同じ効果が得られる。
【０１２３】
実施の形態２に係る電動機１は、実施の形態１に係る回転子２を有するので、電動機１の効率を改善することができる。
【０１２４】
実施の形態３．
図４２は、本発明の実施の形態３に係るファン６０の構造を概略的に示す図である。
ファン６０は、羽根６１と、電動機６２とを有する。ファン６０は、送風機とも言う。電動機６２は、実施の形態２に係る電動機１である。羽根６１は、電動機６２のシャフトに固定されている。電動機６２は、羽根６１を駆動させる。電動機６２が駆動すると、羽根６１が回転し、気流が生成される。これにより、ファン６０は送風することができる。
【０１２５】
実施の形態３に係るファン６０によれば、電動機６２に実施の形態２で説明した電動機１が適用されるので、実施の形態２で説明した効果と同じ効果を得ることができる。さらに、ファン６０の効率を改善することができる。
【０１２６】
実施の形態４．
本発明の実施の形態４に係る空気調和機５０（冷凍空調装置又は冷凍サイクル装置ともいう）について説明する。
図４３は、実施の形態４に係る空気調和機５０の構成を概略的に示す図である。
【０１２７】
実施の形態４に係る空気調和機５０は、送風機（第１の送風機）としての室内機５１と、冷媒配管５２と、冷媒配管５２を介して室内機５１に接続された送風機（第２の送風機）としての室外機５３とを備える。
【０１２８】
室内機５１は、電動機５１ａ（例えば、実施の形態２に係る電動機１）と、電動機５１ａによって駆動されることにより、送風する送風部５１ｂと、電動機５１ａ及び送風部５１ｂを覆うハウジング５１ｃとを有する。送風部５１ｂは、例えば、電動機５１ａによって駆動される羽根５１ｄを有する。例えば、羽根５１ｄは、電動機５１ａのシャフトに固定されており、気流を生成する。
【０１２９】
室外機５３は、電動機５３ａ（例えば、実施の形態２に係る電動機１）と、送風部５３ｂと、圧縮機５４と、熱交換器（図示しない）とを有する。送風部５３ｂは、電動機５３ａによって駆動されることにより、送風する。送風部５３ｂは、例えば、電動機５３ａによって駆動される羽根５３ｄを有する。例えば、羽根５３ｄは、電動機５３ａのシャフトに固定されており、気流を生成する。圧縮機５４は、電動機５４ａ（例えば、実施の形態２に係る電動機１）と、電動機５４ａによって駆動される圧縮機構５４ｂ（例えば、冷媒回路）と、電動機５４ａ及び圧縮機構５４ｂを覆うハウジング５４ｃとを有する。
【０１３０】
空気調和機５０において、室内機５１及び室外機５３の少なくとも１つは、実施の形態２で説明した電動機１を有する。具体的には、送風部の駆動源として、電動機５１ａ及び５３ａの少なくとも一方に、実施の形態２で説明した電動機１が適用される。さらに、圧縮機５４の電動機５４ａとして、実施の形態２で説明した電動機１を用いてもよい。
【０１３１】
空気調和機５０は、例えば、室内機５１から冷たい空気を送風する冷房運転、又は温かい空気を送風する暖房運転等の運転を行うことができる。室内機５１において、電動機５１ａは、送風部５１ｂを駆動するための駆動源である。送風部５１ｂは、調整された空気を送風することができる。
【０１３２】
実施の形態４に係る空気調和機５０によれば、電動機５１ａ及び５３ａの少なくとも一方に、実施の形態２で説明した電動機１が適用されるので、実施の形態２で説明した効果と同じ効果を得ることができる。さらに、空気調和機５０の効率を改善することができる。
【０１３３】
さらに、送風機（例えば、室内機５１）の駆動源として、実施の形態２に係る電動機１を用いることにより、実施の形態２で説明した効果と同じ効果を得ることができる。これにより、送風機の効率を改善することができる。実施の形態２に係る電動機１と電動機１によって駆動される羽根（例えば、羽根５１ｄ又は５３ｄ）とを有する送風機は、送風する装置として単独で用いることができる。この送風機は、空気調和機５０以外の機器にも適用可能である。
【０１３４】
さらに、圧縮機５４の駆動源として、実施の形態２に係る電動機１を用いることにより、実施の形態２で説明した効果と同じ効果を得ることができる。さらに、圧縮機５４の効率を改善することができる。
【０１３５】
実施の形態２で説明した電動機１は、空気調和機５０以外に、換気扇、家電機器、又は工作機など、駆動源を有する機器に搭載できる。
【０１３６】
以上に説明した各実施の形態における特徴及び各変形例における特徴は、互いに適宜組み合わせることができる。
【符号の説明】
【０１３７】
１  電動機、  ２  回転子、  ３  固定子、  ２１  第１永久磁石、  ２２  第２永久磁石、  ２３  第３永久磁石、  ２４  第４永久磁石、  ５０  空気調和機、  ５１  室内機、  ５１ｄ，６１  羽根、  ５３  室外機、  ６０  ファン（送風機）。
【図１】
2020129123.tif 000003
【図２】
2020129123.tif 000004
【図３】
2020129123.tif 000005
【図４】
2020129123.tif 000006
【図５】
2020129123.tif 000007
【図６】
2020129123.tif 000008
【図７】
2020129123.tif 000009
【図８】
2020129123.tif 000010
【図９】
2020129123.tif 000011
【図１０】
2020129123.tif 000012
【図１１】
2020129123.tif 000013
【図１２】
2020129123.tif 000014
【図１３】
2020129123.tif 000015
【図１４】
2020129123.tif 000016
【図１５】
2020129123.tif 000017
【図１６】
2020129123.tif 000018
【図１７】
2020129123.tif 000019
【図１８】
2020129123.tif 000020
【図１９】
2020129123.tif 000021
【図２０】
2020129123.tif 000022
【図２１】
2020129123.tif 000023
【図２２】
2020129123.tif 000024
【図２３】
2020129123.tif 000025
【図２４】
2020129123.tif 000026
【図２５】
2020129123.tif 000027
【図２６】
2020129123.tif 000028
【図２７】
2020129123.tif 000029
【図２８】
2020129123.tif 000030
【図２９】
2020129123.tif 000031
【図３０】
2020129123.tif 000032
【図３１】
2020129123.tif 000033
【図３２】
2020129123.tif 000034
【図３３】
2020129123.tif 000035
【図３４】
2020129123.tif 000036
【図３５】
2020129123.tif 000037
【図３６】
2020129123.tif 000038
【図３７】
2020129123.tif 000039
【図３８】
2020129123.tif 000040
【図３９】
2020129123.tif 000041
【図４０】
2020129123.tif 000042
【図４１】
2020129123.tif 000043
【図４２】
2020129123.tif 000044
【図４３】
2020129123.tif 000045
【手続補正書】
【提出日】令和2年12月3日(2020.12.3)
【手続補正１】
【補正対象書類名】特許請求の範囲
【補正対象項目名】全文
【補正方法】変更
【補正の内容】
【特許請求の範囲】
【請求項１】
２ｎ（ｎは自然数）個の磁極を持つ回転子であって、
前記回転子の外周面の一部を形成しており、極異方性を持つように磁化された少なくとも１つの第１永久磁石と、
前記少なくとも１つの第１永久磁石とは種類が異なっており、前記回転子の周方向において前記少なくとも１つの第１永久磁石に隣接しており、前記少なくとも１つの第１永久磁石の磁力よりも低い磁力を持ち、極異方性を持つように磁化された少なくとも１つの第２永久磁石と
を備え、
前記少なくとも１つの第２永久磁石は、一体化された１つのリング状の磁石である
回転子。
【請求項２】
前記回転子の軸方向における前記少なくとも１つの第１永久磁石の長さは、前記回転子の前記周方向における前記少なくとも１つの第１永久磁石の中央において最も長い請求項１に記載の回転子。
【請求項３】
前記回転子の軸方向における前記少なくとも１つの第１永久磁石の長さは、前記中央から前記周方向に離れるにつれて短くなる請求項２に記載の回転子。
【請求項４】
前記回転子の軸方向と直交する平面において、前記回転子の回転中心と前記少なくとも１つの第１永久磁石の内周面の両端を通る２直線が成す角度は、前記回転子の前記回転中心と前記少なくとも１つの第１永久磁石の外周面の両端を通る２直線が成す角度よりも大きい請求項１から３のいずれか１項に記載の回転子。
【請求項５】
前記少なくとも１つの第１永久磁石は、２つの第１永久磁石を含み、
前記回転子の軸方向と直交する平面において、前記２つの第１永久磁石の内周面の、前記周方向において互いに隣接する端部を通る２直線が成す角度は、前記２つの第１永久磁石の間の前記第２永久磁石の外周面の両端を通る２直線が成す角度よりも小さい請求項１から４のいずれか１項に記載の回転子。
【請求項６】
前記少なくとも１つの第１永久磁石は、前記回転子の軸方向における前記第２永久磁石の端部を覆うリング状部分を有する請求項１から３のいずれか１項に記載の回転子。
【請求項７】
前記回転子の軸方向における前記少なくとも１つの第１永久磁石の端部を覆う樹脂をさらに有する請求項１から５のいずれか１項に記載の回転子。
【請求項８】
前記回転子の外周面の一部を形成しており、極異方性を持つように磁化された少なくとも１つの第３永久磁石と、
前記少なくとも１つの第３永久磁石とは種類が異なっており、前記周方向において前記少なくとも１つの第３永久磁石に隣接しており、前記少なくとも１つの第３永久磁石の磁力よりも低い磁力を持ち、極異方性を持つように磁化された少なくとも１つの第４永久磁石と
をさらに備え、
前記少なくとも１つの第１永久磁石は、前記回転子の軸方向における前記第２永久磁石の端部を覆う第１リング状部分を有し、
前記少なくとも１つの第３永久磁石は、前記回転子の軸方向における前記第４永久磁石の端部を覆う第２リング状部分を有し、
前記回転子の軸方向において、前記第１リング状部分は、前記第２リング状部分に対向している
請求項１から３のいずれか１項に記載の回転子。
【請求項９】
前記回転子の軸方向と直交する平面において、前記少なくとも１つの第１永久磁石の磁極中心位置は、前記少なくとも１つの第３永久磁石の磁極中心位置と一致している請求項８に記載の回転子。
【請求項１０】
前記回転子の外周面の一部を形成しており、極異方性を持つように磁化された少なくとも１つの第３永久磁石と、
前記少なくとも１つの第３永久磁石とは種類が異なっており、前記周方向において前記少なくとも１つの第３永久磁石に隣接しており、前記少なくとも１つの第３永久磁石の磁力よりも低い磁力を持ち、極異方性を持つように磁化された少なくとも１つの第４永久磁石と
をさらに備え、
前記回転子の軸方向と直交する平面において、前記少なくとも１つの第１永久磁石の磁極中心位置は、前記少なくとも１つの第３永久磁石の磁極中心位置と一致している請求項１から３のいずれか１項に記載の回転子。
【請求項１１】
前記少なくとも１つの第１永久磁石の軸方向における両端は、前記回転子の軸方向と直交する平面において角度ｗ１［度］重なっており、
前記角度ｗ１は、０＜ｗ１＜０．２×２ｎ／３６０を満たす
請求項１から３のいずれか１項に記載の回転子。
【請求項１２】
前記回転子の軸方向と直交する平面において、前記少なくとも１つの第１永久磁石の軸方向における両端は、前記回転子の極間部において角度ｗ２［度］重なっており、
前記角度ｗ２は、０＜ｗ２＜０．２×２ｎ／３６０を満たす
請求項１又は２に記載の回転子。
【請求項１３】
前記周方向における前記第１永久磁石の幅は、前記回転子の軸方向における真ん中で最も大きい請求項１から３のいずれか１項に記載の回転子。
【請求項１４】
２ｎ個（ｎは自然数）の磁極を持ち、軸方向に積層された２層からｍ層（ｍは自然数且つｎの約数）までの複数の層磁石を備えた回転子であって、
前記複数の層磁石の各層磁石は、
前記回転子の外周面の一部を形成しており、極異方性を持つように磁化された少なくとも１つの第１永久磁石と、
前記少なくとも１つの第１永久磁石とは種類が異なっており、前記回転子の周方向において前記少なくとも１つの第１永久磁石に隣接しており、前記少なくとも１つの第１永久磁石の磁力よりも低い磁力を持ち、極異方性を持つように磁化された少なくとも１つの第２永久磁石と
を有し、
前記複数の層磁石の各第１永久磁石において、１周期を、前記回転子の軸方向と直交する平面におけるＮ極と隣り合うＮ極との間の角度としたとき、前記軸方向において互いに隣接する２つの前記第１永久磁石のＮ極の位置は、周方向において互いにｎ／ｍ周期ずれており、
前記少なくとも１つの第２永久磁石は、一体化された１つのリング状の磁石である
回転子。
【請求項１５】
前記少なくとも１つの第１永久磁石は、希土類磁石である請求項１から１４のいずれか１項に記載の回転子。
【請求項１６】
前記第２永久磁石は、フェライト磁石である請求項１から１５のいずれか１項に記載の回転子。
【請求項１７】
固定子と、
前記固定子の内側に回転可能に配置された、請求項１から１６のいずれか１項に記載の回転子と
を備えた電動機。
【請求項１８】
請求項１７に記載の電動機と、
前記電動機によって駆動される羽根と
を備えた送風機。
【請求項１９】
室内機と、
前記室内機に接続された室外機と
を備え、
前記室内機及び前記室外機の少なくとも１つは請求項１７に記載の電動機を有する
空気調和機。
【請求項２０】
第１永久磁石と、周方向において前記第１永久磁石に隣接しており、前記第１永久磁石の磁力よりも低い磁力を持つ第２永久磁石とを有する回転子の製造方法であって、
着磁用の磁石を用いて前記第２永久磁石用の金型の内部に極異方性の磁場を発生させる工程と、
極異方性を持つように磁化された前記第２永久磁石を、一体化された１つのリング状の磁石に射出成形で成形する工程と、
着磁用の磁石を用いて前記第１永久磁石用の金型の内部に極異方性の磁場を発生させる工程と、
前記第１永久磁石用の金型の内部に前記第２永久磁石を配置した状態で、前記第２永久磁石の外周面に、前記回転子の外周面の一部を形成するように前記第１永久磁石を、射出成形で成形する工程と
を備える
回転子の製造方法。
【手続補正２】
【補正対象書類名】明細書
【補正対象項目名】０００６
【補正方法】変更
【補正の内容】
【０００６】
本発明の一態様に係る回転子は、２ｎ（ｎは自然数）個の磁極を持つ回転子であって、前記回転子の外周面の一部を形成しており、極異方性を持つように磁化された少なくとも１つの第１永久磁石と、前記少なくとも１つの第１永久磁石とは種類が異なっており、前記回転子の周方向において前記少なくとも１つの第１永久磁石に隣接しており、前記少なくとも１つの第１永久磁石の磁力よりも低い磁力を持ち、極異方性を持つように磁化された少なくとも１つの第２永久磁石とを有し、前記少なくとも１つの第２永久磁石は、一体化された１つのリング状の磁石である。
本発明の他の態様に係る回転子は、２ｎ個（ｎは自然数）の磁極を持ち、軸方向に積層された２層からｍ層（ｍは自然数且つｎの約数）までの複数の層磁石を備えた回転子であって、前記複数の層磁石の各層磁石は、前記回転子の外周面の一部を形成しており、極異方性を持つように磁化された少なくとも１つの第１永久磁石と、前記少なくとも１つの第１永久磁石とは種類が異なっており、前記回転子の周方向において前記少なくとも１つの第１永久磁石に隣接しており、前記少なくとも１つの第１永久磁石の磁力よりも低い磁力を持ち、極異方性を持つように磁化された少なくとも１つの第２永久磁石とを有し、前記複数の層磁石の各第１永久磁石において、１周期を、前記回転子の軸方向と直交する平面におけるＮ極と隣り合うＮ極との間の角度としたとき、前記軸方向において互いに隣接する２つの前記第１永久磁石のＮ極の位置は、周方向において互いにｎ／ｍ周期ずれており、前記少なくとも１つの第２永久磁石は、一体化された１つのリング状の磁石である。
【手続補正３】
【補正対象書類名】図面
【補正対象項目名】図２２
【補正方法】変更
【補正の内容】
【図２２】
2020129123.tif 000046
【国際調査報告】
2020129123.tif 000047
2020129123.tif 000048
2020129123.tif 000049
2020129123.tif 000050